(57)【要約】【課題】  加湿フィルタを常に除菌でき、空気中の浮遊細菌を除去し、加湿機能を有する空気調和機を提供することである。【解決手段】  空気調和機１０は、水を貯水する貯水タンク１２と、貯水タンク１２から供給された水を気化する加湿フィルタ１４と、加湿フィルタ１４の空気を機外へ送風する送風機１９と、プラスイオンとマイナスイオンを発生するイオン発生装置１８とを備え、プラスイオンとマイナスイオンを含んだ空気を加湿フィルタ１４に供給することにより、プラスイオンとマイナスイオンと水分を含んだ空気を機外へ送風する構成とする。【選択図】        図１
2008116203.tif 000002
【特許請求の範囲】
【請求項１】
水を貯水する貯水手段と、
該貯水手段から供給された水を気化する加湿フィルタと、
該加湿フィルタの空気を機外へ送風する送風手段と、
プラスイオンとマイナスイオンを発生するイオン発生装置とを備え、
前記プラスイオンとマイナスイオンを含んだ空気を前記加湿フィルタに供給することを特徴とする空気調和機。
【請求項２】
前記加湿フィルタ又は前記イオン発生装置へ送る空気を加熱する加熱手段を前記送風手段の上流側に設けたことを特徴とする請求項１記載の空気調和機。
【請求項３】
前記貯水手段の水を前記加湿フィルタの上面に供給する送水手段を設けたことを特徴とする請求項１又は２記載の空気調和機。
【請求項４】
室内の湿度が予め設定した湿度になるように、前記送水手段の供給量、前記送風手段の送風量、又は前記加熱手段の加熱量を変化させて制御することを特徴とする請求項３記載の空気調和機。
【請求項５】
前記送風手段で発生する送風の一部を前記イオン発生装置に供給することを特徴とする請求項１〜４何れかに記載の空気調和機。
【請求項６】
運転開始時に、前記プラスイオンとマイナスイオンを含んだ空気を前記加湿フィルタに供給することを特徴とする請求項１〜５何れかに記載の空気調和機。
【請求項７】
運転停止後に、前記プラスイオンとマイナスイオンを含んだ空気を前記加湿フィルタに供給することを特徴とする請求項１〜５何れかに記載の空気調和機。
【請求項８】
運転停止後に、前記加熱手段で加熱された空気に前記プラスイオンとマイナスイオンを含ませて前記加湿フィルタに供給することを特徴とする請求項１〜５何れかに記載の空気調和機。
【請求項９】
前記イオン発生装置で発生する前記プラスイオンとマイナスイオンを含んだ空気を直接機外へ送風する送風経路を設けたことを特徴とする請求項１〜８何れかに記載の空気調和機。
【発明の詳細な説明】
【技術分野】
【０００１】
本発明は、加湿器等の水を気化させて空気調和を行う空気調和機に関するものである。
【背景技術】
【０００２】
従来、空気調和機としての加湿器は、例えば、実開昭５８−１４８５２０号公報に開示されているように、モータ及びその回転軸に羽根とテーパ形状の吸水管を取り付け、水槽部の水を吸水管の多数個の穴からフィルタに向けて飛散させ、この水で濡れたフィルタに乾燥空気を通過させることにより、加湿効果を得ていた。
【０００３】
また、冷風扇は、実開昭６３−１３４３２６号公報に開示されているように、貯水タンク内に貯水された水を加湿フィルタで吸水し、この加湿フィルタを通じて送風することにより、加湿フィルタの水が気化し、その際の気化熱により送風空気の温度を下げ、冷風として送風するようにしている。
【０００４】
このように、貯水タンク内に水を貯水する構成では、水の腐敗により、細菌、カビ、藻類等が発生するとともに、それらの発生に伴う異臭が生じることがある。そこで、上記の実開昭６３−１３４３２６号公報に記載された冷風扇では、加湿フィルタに脱臭剤を含有させ、貯水タンク内の水や送風空気の脱臭を行っている。
【０００５】
また、実開昭６２−２９３６号公報に記載された空気調和機では、貯水タンク内に脱臭及び除菌効果を有する薬剤を入れ、貯水タンクの水や送風空気の脱臭、除菌を行っている。
【０００６】
また、事務所や会議室等の密閉された部屋において、室内の人数が多く、換気せずにいると、呼吸により排出される二酸化炭素や煙草の灰、埃等の空気汚染物質が増加するため、人間をリラックスさせる効能を有するマイナスイオンが空気中から減少していく。特に、煙草の灰によって多量のマイナスイオンが失われ、通常の１／２〜１／５程度にまで減少することがある。そこで、空気中のマイナスイオンを補給するため、種々のイオン発生装置が提案されており、空気清浄機等に搭載されてきた。
【０００７】
また近年、殺菌・除菌に対するニーズが高まっており、マイナスイオンのみを発生するイオン装置では空気中の浮遊細菌を積極的に除去することはできなかったが、出願人によりプラスイオンとマイナスイオンとを発生させるイオン発生装置を搭載した空気清浄機が実用化されている。
【発明の開示】
【発明が解決しようとする課題】
【０００８】
しかしながら、実開昭６３−１３４３２６号公報の冷風扇のように、脱臭剤を含有させる場合には、脱臭剤の経時劣化が生じるとともに、加湿フィルタの交換の必要性等のメンテナンスに問題がある。また、実開昭６２−２９３６号公報の空気調和機のように、貯水タンクに脱臭、除菌効果を有する薬剤を入れる場合には、特別な薬剤を買い求める必要があり、取り扱いにくい問題がある。
【０００９】
本発明は、上記の問題点に鑑み、加湿フィルタを常に除菌でき、空気中の浮遊細菌を除去し、加湿機能を有する空気調和機を提供することを目的とする。
【課題を解決するための手段】
【００１０】
上記目的を達成するために、本発明に係る空気調和機においては、水を貯水する貯水手段と、該貯水手段から供給された水を気化する加湿フィルタと、該加湿フィルタの空気を機外へ送風する送風手段と、プラスイオンとマイナスイオンを発生するイオン発生装置とを備え、前記プラスイオンとマイナスイオンを含んだ空気を前記加湿フィルタに供給する構成とする。
【００１１】
このように、加湿運転をしながらイオン発生装置を併用運転することにより、空気中の湿度が上昇して風邪のウイルス菌等の生息率を低下させ、更にプラスイオンとマイナスイオンで加湿フィルタを常に除菌でき、空気中の浮遊細菌を除去することができる。その結果、快適な空気を提供することができる。
【００１２】
なお、前記加湿フィルタ又は前記イオン発生装置へ送る空気を加熱する加熱手段を前記送風手段の上流側に設けてもよい。これにより、加湿フィルタで多量の水が気化され、素早く設定された湿度にすることができ、使い勝手が良く、使用性の高い空気調和機を提供することができる。
【００１３】
更に、前記貯水手段の水を前記加湿フィルタの上面に供給する送水手段を設けてもよい。これにより、加湿フィルタに十分な量の水を供給することができる。
【００１４】
そして、室内の湿度を設定された湿度でコントロールするように、前記送水手段の供給量、前記送風手段の送風量、又は前記加熱手段の加熱量を変化させて制御することができる。これにより、加湿フィルタでの蒸発量を調節して加湿制御することができる。
【００１５】
また、前記送風手段で発生する送風の一部を前記イオン発生装置に供給してもよい。これにより、イオン発生装置に送風する送風機を別に設ける必要がなく、構成部品を少なくでき、小スペース化も実現できる。
【００１６】
また、運転開始時に、前記プラスイオンとマイナスイオンを含んだ空気を前記加湿フィルタに供給してもよい。これにより、運転停止中に加湿フィルタに付着した細菌を除去し、悪臭等の発生を防止することができる。
【００１７】
また、運転停止後に、前記プラスイオンとマイナスイオンを含んだ空気を前記加湿フィルタに供給してもよい。これにより、加湿フィルタに含まれる細菌を除去し、悪臭等の発生を防止することができる。
【００１８】
また、運転停止後に、前記加熱手段で加熱された空気に前記プラスイオンとマイナスイオンを含ませて前記加湿フィルタに供給してもよい。これにより、加湿フィルタに含まれる細菌を除去し、更に、加熱された空気により、加湿フィルタを乾燥して悪臭等の発生を防止することができる。
【００１９】
更に、前記イオン発生装置で発生する前記プラスイオンとマイナスイオンを含んだ空気を直接機外へ送風する送風経路を設けてもよい。これにより、加湿せずに、室内にイオンのみを供給することができる。
【発明の効果】
【００２０】
本発明の空気調和機によれば、水を貯水する貯水手段と、貯水手段から供給された水を気化する加湿フィルタと、加湿フィルタの空気を機外へ送風する送風手段と、プラスイオンとマイナスイオンを発生するイオン発生装置とを備え、プラスイオンとマイナスイオンを含んだ空気を加湿フィルタに供給することにより、空気中の湿度が上昇して風邪のウイルス菌等の生息率を低下させ、更にプラスイオンとマイナスイオンで加湿フィルタを常に除菌でき、空気中の浮遊細菌を除去することができる。その結果、快適な空気を得ることができる。
【００２１】
また、本発明の空気調和機によれば、加湿フィルタ又はイオン発生装置へ送る空気を加熱する加熱手段を送風手段の上流側に設けることにより、加湿フィルタで多量の水が気化され、素早く、多量に加湿することができ、従って、使い勝手を良く、使用性も高くすることができる。
【００２２】
また、本発明の空気調和機によれば、貯水手段の水を加湿フィルタの上面に供給する送水手段を設けることにより、加湿フィルタに十分な量の水を供給することができる。
【００２３】
また、本発明の空気調和機によれば、室内の湿度が予め設定した湿度になるように、送水手段の供給量、送風手段の送風量、又は加熱手段の加熱量を変化させて制御することにより、加湿フィルタでの水の蒸発量を調節して加湿制御することができる。
【００２４】
また、本発明の空気調和機によれば、加湿フィルタ部分の空気を機外へ送風する送風手段で発生する送風の一部をイオン発生装置に供給することにより、イオン発生装置に送風する送風機を別に設ける必要がなく、構成部品を少なくでき、小スペース化も実現できる。
【００２５】
また、本発明の空気調和機によれば、運転開始時に、前記プラスイオンとマイナスイオンを含んだ空気を前記加湿フィルタに供給することにより、運転停止中に加湿フィルタに付着した細菌を除去し、悪臭等の発生を防止することができる。
【００２６】
また、本発明の空気調和機によれば、運転停止後に、プラスイオンとマイナスイオンを含んだ空気を加湿フィルタに供給することにより、加湿フィルタに含まれる細菌を除去し、悪臭等の発生を防止することができる。
【００２７】
また、本発明の空気調和機によれば、運転停止後に、加熱手段で加熱された空気にプラスイオンとマイナスイオンを含ませて加湿フィルタに供給することにより、加湿フィルタに含まれる細菌を除去し、更に、加熱された空気により、加湿フィルタを乾燥して悪臭等の発生を防止することができる。
【００２８】
また、本発明の空気調和機によれば、イオン発生装置で発生するプラスイオンとマイナスイオンを含んだ空気を直接機外へ送風する送風経路を設けることにより、加湿せずに、室内にイオンのみを供給することができる。
【発明を実施するための最良の形態】
【００２９】
図１は、空気調和機の側断面の概略図である。空気調和機１０は、箱体の本体１１と、本体１１より着脱可能で、水を貯水する貯水タンク１２と、貯水タンク１２の下方に設けられ、貯水タンク１２から供給された水を一時的に貯める水受けタンク１３と、水受けタンク１３の上方に設けられ、吸水性を有する加湿フィルタ１４と、一端が水受けタンク１３の水に浸かった吸水管１５と、吸水管１５の途中に設けられ、水受けタンク１３の水を送水する送水ポンプ１６と、吸水管１５の他端に接続されて加湿フィルタ１４の上方に設けられ、加湿フィルタ１４の上面に水を散布する散水バー１７と、プラスイオンとマイナスイオンを発生するイオン発生装置１８と、加湿フィルタ１４及びイオン発生装置１８に室内の空気を送る送風機１９と、送風機１９の背面に設けられ、送風機１９が送る空気を加熱する加熱体２０と、加熱体２０の背面の本体１１に設けられ、送風機により室内の空気を吸い込む吸気口２１と、イオン発生装置１８と配管等で接続され、イオン発生装置１８で発生したプラスイオンとマイナスイオンを含んだ空気を加湿フィルタ１４に供給する経路と、本体１１の上面に設けられたイオン吹出口２２から放出する経路とを切り換える切換ダンパー２３と、本体１１の上面に設けられ、加湿フィルタ１４を通過した空気（水やプラスイオンやマイナスイオンを含んだ空気）を放出する吹出口２４とを備えている。
【００３０】
なお、図１において、空気が流れる経路を矢印で示しており、その経路は図示しない配管、導風板等で形成されている。
【００３１】
この空気調和機１０における水の流れる経路としては、貯水タンク１２中の水が水受けタンク１３に供給され、吸水管１５、送水ポンプ１６、散水バー１７を通って加湿フィルタ１４に供給され、加湿フィルタ１４中で気化して吹出口２４から放出される経路である。その際、加湿フィルタ２４に残った過剰の水は、加湿フィルタ２４の下部から水受けタンク１３に戻る。この送水ポンプ１６により、加湿フィルタ１４に十分な量の水を供給し、また水量を調節することができる。
【００３２】
また、空気の流れる経路としては、送風機１９の駆動により吸気口から吸気された空気は、加熱体２０、送風機１９を介して、加湿フィルタ１４、又はイオン発生装置１８に送風される。加湿フィルタ１４に送風された空気は、加湿フィルタ１４を通過するときに加湿フィルタ１４の水分を離脱させて、空気に水分を含んだ状態で吹出口２４から放出される。一方、イオン発生装置１８に送風された空気は、イオン発生装置１８で発生したプラスイオンとマイナスイオンを受け取り、切換ダンパー２３へ送風され、切換ダンパー２３から加湿フィルタ１４に送風されて加湿フィルタ１４を通過するときには、加湿フィルタ１４の水分を離脱させて空気に水分を含み、プラスイオンとマイナスイオンも含んだ状態で吹出口２４から放出される。又は、イオン発生装置１８に送風された空気は、イオン発生装置１８でプラスイオンとマイナスイオンを受け取り、切換ダンパー２３へ送風され、切換ダンパー２３からイオン吹出口２２を通じて放出される。
【００３３】
なお、送風機１９は、例えば、回転自在に支持された円筒形のファン（不図示）と、このファンを回転させるファンモータ（不図示）とからなる。そして、送風機１９は、加湿の強弱に応じてファンの回転数が制御され、風量が調節される。
【００３４】
なお、加熱体２０には、例えば、ニクロム線ヒータや正特性ヒータ等を用いることができる。この加熱体２０は、設定された湿度に早く到達させたい場合や多量に加湿する場合に駆動させる。その結果、空気の温度が上がり、加湿フィルタ１４の水分の離脱量が多くなり、多くの水分を含んだ空気が放出される。
【００３５】
また、水受けタンク１３には、水位が所定値以下に達したことを検知する水位スイッチ２５が設けられている。この水位スイッチ２５で検知されると、本体の表示部（不図示）に水量がなくなったことが表示される。
【００３６】
また、送水ポンプ１６は、加湿量の強弱に応じて出力が制御されるとともに送水量が調節される。図２に、図１の散水バー１７周辺の斜視図を示す。散水バー１７の底面には、加湿フィルタ１４へ散水するための散水口２６が複数個配設され、均一に散水できるように散水口２６の穴径は異なって形成されている。なお、加湿フィルタ１４には、例えば、断面形状がハニカム状の直方体であって、吸水性を有する不織布を用いることができる。
【００３７】
また、図１の貯水タンク１２の排水口には、水受けタンク１３へ排水可能なタンクキャップ２７が取り付けられている。図３（ａ）に図１のタンクキャップ２７周辺の側断面図を、図３（ｂ）に図３（ａ）のＡ−Ａ線平断面図を示す。タンクキャップ２７は、貯水タンク１２の排水口に螺合されており、貯水タンク１２が本体１１から取り外されているときは水漏れを防止し、本体１１に装着されているときのみ、排水可能としている。
【００３８】
そのタンクキャップ２７には、排水口となるリブ状の座受け部２７ａが形成されている。そして、座受け部２７ａと所定の隙間を有して往復動する弁シャフト２８と、弁シャフト２８の底部に一体に形成された円板状の弁シャフト受け部２８ａと、弁シャフト２８の外周に設けられ、かつ座受け部２７ａと弁シャフト受け部２８ａとで支持された弁スプリング２９と、弁シャフト２８の上部に設けられ、タンクキャップ２７の排水口となる穴４４及び空間部４３を塞げる曲面状の弁ゴムシート３０とからなる弁機構３１が設けられている。
【００３９】
上記の構成により、貯水タンク１２が本体１１から取り外されているときは、弁スプリング２９が伸びて弁ゴムシート３０が排水口を塞ぐため、貯水タンク１２は密閉され、水漏れを防止できる。一方、貯水タンク１２が本体１１に装着されているときは、水受けタンク１３に形成された凸状の受け部１３ａが、弁シャフト受け部２８ａと接触することにより、弁シャフト２８及び弁ゴムシート３０が持ち上げられ、弁スプリング２９は縮んで空間部４３ができ、空間部４３より水が流出して平断面が扇形の穴４４を通って、水が水受けタンク１３に供給される。そして、水受けタンク１３の水位は、タンクキャップ２７の先端位置で保持される。
【００４０】
図４は、イオン発生装置１８の概略図である。イオン発生装置１８は、誘電体となるガラス管３２と、ガラス管３２の内周面に密着するように配設した内電極３３と、ガラス管３２の外周面に密着するように配設した外電極３４と、ガラス管３２の両側端に嵌着された一対の栓部材３５、３６とを有する。そして、栓部材３６の中心に形成された孔３７からガラス管３２内にリード線３８の一端が挿入され、内電極３３に溶着されている。また、外電極３４にもリード線３９の一端が溶着され、リード線３８、３９の他端は制御回路（不図示）に接続されている。
【００４１】
栓部材３５、３６は、円盤状をなし、一方面側の周縁部に周突起部４０が形成され、周突起部４０の中央付近にはガラス管３２の側端が嵌着する周溝４１が形成されている。栓部材３５、３６の外側面には、イオン発生装置１８を本体１１に取り付けるための外周溝４２が形成されている。また、栓部材３５、３６の中心には、薄膜が形成された孔３７が形成されており、この薄膜にはリード線３８を通す際に容易に破れるような加工処理がなされている。
【００４２】
なお、誘電体としてガラス管３２（商品名「パイレックス」、外径２０mm）を用いているが、これに限定されるものではなく、絶縁性を有するものであればよい。また、その形状についても特に限定はなく、搭載する機器の形状、構造等から適宜決定すればよい。
【００４３】
なお、内電極３３には、ＳＵＳ３１６又はＳＵＳ３０４からなるステンレス鋼板を円筒状にロール加工したものを用いることができる。また、外電極３４には、ＳＵＳ３１６又はＳＵＳ３０４からなるステンレス鋼線を平織りした１６メッシュの金網を用いることができる。ここで、「メッシュ」とは一辺１インチの正方形内部にある孔の数を意味する。従って、メッシュ数の大きいものほど網目が細かい。なお、イオン発生装置１８の静電容量を大きくし、イオン発生効率を上げるために、内電極３３及び外電極３４をガラス管３２に密着させている。
【００４４】
そして、イオン発生装置１８は、例えば次のようにして組み立てることができる。まず、リード線３８が予め溶着された内電極３３をガラス管３２の内側に挿入する。次に、リード線３８の自由端を栓部材３６の孔３７に挿通させながら、ガラス管３２の一方の側端に栓部材３６を嵌着させる。そして、リード線３９が予め溶着された外電極３４をガラス管３２の外側に装着させた後、ガラス管３２の他方の側端に栓部材３５を嵌着する。
【００４５】
次に、上記の空気調和機１０の動作について説明する。図５は、空気調和機１０の構成を示すブロック図である。本体１１の外面に設けられた操作部５０の運転スイッチ５１がＯＮ操作されると、操作部５０と電気的に接続された制御回路５５のスイッチ入力回路５６が、制御部５７へ電源ＯＮの指示を出し、制御部５７は空気調和機１０の電源をＯＮにする。続いて、加湿スイッチ５２が押されて自動運転モードが選択されると、スイッチ入力回路５６、制御部５７を通じて送風機駆動回路５９及び送水ポンプ駆動回路６０が作動し、送風機１９及び送水ポンプ１６が駆動して自動加湿運転がスタートする。なお、自動加湿運転中は予め設定された湿度で制御し、湿度は湿度設定スイッチ５４により適時設定される。
【００４６】
更に、加湿スイッチ５２が押される度に加湿モードが「自動」、「強」、「中」、「弱」、「自動」の順で切り換わり、選択された加湿モードで加湿運転する。なお、加湿スイッチ５２がＯＮ操作されると、自動的にイオン発生装置駆動回路５８が作動し、イオン発生装置１８が駆動するようにすることが望ましい。
【００４７】
このように、加湿運転をしながらイオン発生装置１８を併用運転することにより、空気中の湿度が上昇して風邪のウイルス菌等の生息率を低下させ、更にプラスイオンとマイナスイオンを発生させイオンを含んだ空気を加湿フィルタ１４に通すので常に除菌でき、空気中の浮遊細菌を除去することができる。その結果、快適な空気を得ることができる。
【００４８】
上記の自動加湿運転においては、制御部５７に接続された湿度センサ６３により検出される室内の湿度が、設定された湿度になるように、制御部５７は送水ポンプ１６の供給量や送風機１９の送風量、更に加熱体２０の加熱量を変化させる。これにより、加湿フィルタ１４での水分の離脱量を調節して自動的に加湿制御することができる。
【００４９】
強加湿運転は、設定された湿度とは関係なく、加湿量を多く発生（例えば、約４００ｍｌ／ｈ）する。また、中加湿運転は、加湿量を強加湿運転の約半分の発生量（例えば、約２５０ｍｌ／ｈ）とする。また、弱加湿運転は、加湿量を少なく発生（例えば、約１００ｍｌ／ｈ）する。
【００５０】
上記の強加湿運転のように、加湿量を多く発生させるときは、加熱体駆動回路６１を作動させ、加熱体２０を駆動させることにより、吸気口２１から取り入れた空気を加熱体２０で加熱して加湿フィルタ１４に送風することができるので、加湿フィルタ１４において多量の水を気化することができ、設定された湿度までの到達時間が早く、また多量に加湿することができる。また、送水ポンプ１６の送水量を多くし、送風機１９の回転数を上げて風量を増すことによっても、同様な効果が発揮される。
【００５１】
従って、加湿量の多い運転をするときや、設定された湿度まで短時間に達するように運転するとき等に、加熱体２０を駆動させたり、送水ポンプ１６の送水量を多くしたり、送風機１９の風量を増したりすることにより、使い勝手が良く、使用性の高い空気調和機を得ることができる。
【００５２】
次に、イオン発生装置１８を単独で運転する場合について説明する。イオン運転スイッチ５３が押される度にイオン発生モードが「クラスター」、「クリーニング１」、「クリーニング２」、「切」、「クラスター」の順で切り換わり、選択されたイオン発生モードで運転する。
【００５３】
ここで、クラスター運転は、イオン発生装置１８の単独運転を意味する。クラスター運転が選択されると、制御部５７は、切換ダンパー駆動回路６２を作動させ、切換ダンパー２３をイオン吹出口２２の方へ切り換える。そして、イオン発生装置１８に送風された空気は、イオン発生装置１８でプラスイオンとマイナスイオンを受け取り、切換ダンパー２３を通じてイオン吹出口２２から放出される。これにより、加湿せずに、室内にイオンのみを供給する空気調和機を提供することができる。
【００５４】
また、加湿フィルタ１４のクリーニング運転１は、運転スイッチ５１がＯＦＦ操作されて空気調和機１０が停止した後に、プラスイオンとマイナスイオンを含んだ空気を加湿フィルタ１４に送風する運転を意味する。クリーニング運転１が選択されると、空気調和機１０の運転停止後に、制御部５７は、切換ダンパー駆動回路６２を作動させ、切換ダンパー２３が加湿フィルタ１４への経路になるように制御し、次に、イオン発生装置１８及び送風機１９を駆動させてプラスイオンとマイナスイオンを含んだ空気を加湿フィルタ１４に送風する。このプラスイオンとマイナスイオンにより、加湿フィルタ１４に含まれる細菌を除去し、次回使用時の悪臭等の発生を防止することができる。
【００５５】
また、クリーニング運転２は、上記のクリーニング運転１において更に加熱体２０を駆動させる運転を意味する。クリーニング運転２が選択されると、空気調和機１０の運転停止後に、制御部５７は、切換ダンパー駆動回路６２を作動させ、切換ダンパー２３が加湿フィルタ１４の方になるように制御し、次に、イオン発生装置１８、送風機１９、及び加熱体２０を駆動させて加熱されたプラスイオンとマイナスイオンを含んだ空気を加湿フィルタ１４に送風する。このプラスイオンとマイナスイオンを含んだ空気により、加湿フィルタ１４に含まれる細菌を除去し、更に、加熱された空気を送ることにより、加湿フィルタ１４を乾燥して悪臭等の発生を防止することができる。
【００５６】
また、運転開始時に加湿フィルタ１４のクリーニング運転１、２を行うことにより、運転停止中に加湿フィルタに付着した細菌を除去することができる。また、切運転は、イオン発生装置１８の運転停止を意味し、加湿運転モードにおいてイオン発生装置１８の併用運転を停止する。
【００５７】
本発明の空気調和機１０において、図１では、空気の流れる順に加熱体２０、送風機１９、加湿フィルタ１４を配設しているが、送風機１９、加熱体２０、加湿フィルタ１４の順にすることも考えられる。しかしながら、この順にすると加熱体２０と加湿フィルタ１４との距離が短くなり、空気の温度が均一にならない状態、即ち不均一な温度の空気が加湿フィルタ１４を通過することになる。従って、加湿フィルタ１４の全面を使って加湿（気化）することができず、加湿量を上げることには繋がらない。また、加湿フィルタ１４の下方にある水受けタンク１３の水が加熱体２０にかかるおそれがあり、安全上好ましくない。なお、加湿フィルタ１４、イオン発生装置１８、又は加熱体２０に送風する送風機を個別に設けてもよい。
【図面の簡単な説明】
【００５８】
【図１】本発明の空気調和機の側断面の概略図である。
【図２】図１の散水バー周辺の斜視図である。
【図３】（ａ）図１のタンクキャップ周辺の側断面図である。（ｂ）図３（ａ）におけるＡ−Ａ線平断面図である。
【図４】本発明の空気調和機に設けたイオン発生装置の概略図である。
【図５】本発明の空気調和機の構成を示すブロック図である。
【符号の説明】
【００５９】
１０    空気調和機
１４    加湿フィルタ
１８    イオン発生装置
【図１】
2008116203.tif 000003
【図２】
2008116203.tif 000004
【図３】
2008116203.tif 000005
【図４】
2008116203.tif 000006
【図５】
2008116203.tif 000007